(57)【要約】【課題】新たなバンドを定義することなく、ネットワークシグナリング値が定義されていない既存のバンドにおいて、マルチクラスタ通信用のネットワークシグナリング値を用いる。【解決手段】本発明に係る移動通信方法は、無線基地局ｅＮＢが、サポートしているバンド内の１つのコンポーネントキャリアを用いたシングルクラスタ通信を行っている移動局ＵＥに対して、「ＲＲＣ  Ｒｅｃｏｎｆｉｇｕｒａｔｉｏｎ」によって、ネットワークシグナリング値を通知する工程Ａと、移動局ＵＥが、かかるネットワークシグナリング値に基づいて、シングルクラスタ通信における送信電力を低減する工程Ｂとを有する。【選択図】図４
2013098592.tif 000002
【特許請求の範囲】
【請求項１】
無線基地局が、サポートしているバンド内の１つのコンポーネントキャリアを用いたシングルクラスタ通信を行っている移動局に対して、個別信号によって、ネットワークシグナリング値を通知する工程Ａと、
前記移動局が、前記ネットワークシグナリング値に基づいて、前記シングルクラスタ通信における送信電力を低減する工程Ｂとを有することを特徴とする移動通信方法。
【請求項２】
前記工程Ａにおいて、前記移動局が、前記１つのコンポーネントキャリア内の複数のサブキャリア群を用いたマルチクラスタ通信を開始する前に、前記無線基地局は、該移動局に対して、前記ネットワークシグナリング値を通知することを特徴とする請求項１に記載の移動通信方法。
【請求項３】
無線基地局であって、
サポートしているバンド内の１つのコンポーネントキャリアを用いたシングルクラスタ通信を行っている移動局に対して、個別信号によって、ネットワークシグナリング値を通知するように構成されている送信部を具備することを特徴とする無線基地局。
【請求項４】
前記移動局が、前記１つのコンポーネントキャリア内の複数のサブキャリア群を用いたマルチクラスタ通信を開始する前に、前記送信部は、該移動局に対して、前記ネットワークシグナリング値を通知するように構成されていることを特徴とする請求項３に記載の無線基地局。
【請求項５】
移動局であって、
個別信号によってネットワークシグナリング値が通知されていない場合には、サポートしているバンド内の１つのコンポーネントキャリア内の複数のサブキャリア群を用いたマルチクラスタ通信においても、前記１つのコンポーネントキャリア内の１つのコンポーネントキャリアを用いたシングルクラスタ通信の場合と同様に、報知信号によって通知されたネットワークシグナリング値に基づいて送信電力の低減を行うように構成されていることを特徴とする移動局。
【発明の詳細な説明】
【技術分野】
【０００１】
本発明は、移動通信方法及び無線基地局に関する。
【背景技術】
【０００２】
ＬＴＥ（Ｌｏｎｇ  Ｔｅｒｍ  Ｅｖｏｌｕｔｉｏｎ）方式では、隣接帯域において運用されている他の移動通信システムを保護するための保護基準が設けられている（非特許文献１及び２参照）。
【０００３】
なお、ＬＴＥ方式では、かかる保護基準を守ることが難しい場合、移動局ＵＥにおける最大許容送信電力の低減を許容する「Ａ-ＭＰＲ（Ａｄｄｉｔｉｏｎａｌ-Ｍａｘｉｍｕｍ  Ｐｏｗｅｒ  Ｒｅｄｕｃｔｉｏｎ）」を適用することが規定されている。
【０００４】
具体的には、無線基地局ｅＮＢは、「Ａ-ＭＰＲ」を適用可能な地域において、サポートしているバンドに対して定義されている「ＮＳ（Ｎｅｔｗｏｒｋ  Ｓｉｇｎａｌｉｎｇ）」或いは「ａｄｄｉｔｉｏｎａｌＳｐｅｃｔｒｕｍＥｍｉｓｓｉｏｎ」と呼ばれるネットワークシグナリング値を報知することによって、かかる「Ａ-ＭＰＲ」 の適用方法について通知するように構成されている。
【先行技術文献】
【非特許文献】
【０００５】
【非特許文献１】３ＧＰＰ  ＴＳ３６.１０１
【非特許文献２】３ＧＰＰ  ＴＳ３６.１０４
【非特許文献３】３ＧＰＰ  ＴＳ３６.３３１
【発明の概要】
【発明が解決しようとする課題】
【０００６】
現在、既存のバンドのうちネットワークシグナリング値が定義されているバンドは限られている。
【０００７】
また、既存のバンドにおいて、新たにネットワークシグナリング値が定義された場合、かかるバンドに対応している既存の移動局ＵＥは、かかるネットワークシグナリング値を理解することができない。
【０００８】
したがって、ＬＴＥ方式では、このような現象を回避するために、新たに定義するバンドにおいて、新たにネットワークシグナリング値を定義するように規定されている。
【０００９】
一方、ＬＴＥのＲｅｌｅａｓｅ１０方式では、単一のコンポーネントキャリア（ＣＣ：Ｃｏｍｐｏｎｅｎｔ  Ｃａｒｒｉｅｒ）内の複数のサブキャリア群を用いたマルチクラスタ（Ｍｕｌｔｉ-ｃｌｕｓｔｅｒ）通信を行うことができるように規定されている。
【００１０】
ここで、マルチクラスタ通信を行う場合、１つのコンポーネントキャリア（１つのコンポーネントキャリア内の１つのサブキャリア）を用いたシングルクラスタ通信、すなわち、ＳＣ-ＦＤＭＡ（Ｓｉｎｇｌｅ  Ｃａｒｒｉｅｒ-ＦＤＭＡ）通信を行う場合に比べて、隣接帯域への漏洩電力が大きくなることが知られている。
【００１１】
したがって、ネットワークシグナリング値が定義されていない既存のバンドにおいて、マルチクラスタ通信用として新たにネットワークシグナリング値を定義する必要があるケースが存在すると想定される。
【００１２】
しかしながら、従来のＬＴＥ方式の規定では、マルチクラスタ通信用のネットワークシグナリング値を定義する場合には、上述のように、新たなバンドを定義して用いなければならなかった。
【００１３】
そこで、本発明は、上述の課題に鑑みてなされたものであり、新たなバンドを定義することなく、ネットワークシグナリング値が定義されていない既存のバンドにおいて、マルチクラスタ通信用のネットワークシグナリング値を用いることができる移動通信方法及び無線基地局を提供することを目的とする。
【課題を解決するための手段】
【００１４】
本発明の第１の特徴は、移動通信方法であって、無線基地局が、サポートしているバンド内の１つのコンポーネントキャリアを用いたシングルクラスタ通信を行っている移動局に対して、個別信号によって、ネットワークシグナリング値を通知する工程Ａと、前記移動局が、前記ネットワークシグナリング値に基づいて、前記シングルクラスタ通信における送信電力を低減する工程Ｂとを有することを要旨とする。
【００１５】
本発明の第２の特徴は、無線基地局ｅＮＢであって、サポートしているバンド内の１つのコンポーネントキャリアを用いたシングルクラスタ通信を行っている移動局ＵＥに対して、個別信号によって、ネットワークシグナリング値を通知するように構成されている送信部１２を具備することを要旨とする。
【００１６】
本発明の第３の特徴は、移動局であって、個別信号によってネットワークシグナリング値が通知されていない場合には、サポートしているバンド内の１つのコンポーネントキャリア内の複数のサブキャリア群を用いたマルチクラスタ通信においても、前記１つのコンポーネントキャリア内の１つのコンポーネントキャリアを用いたシングルクラスタ通信の場合と同様に、報知信号によって通知されたネットワークシグナリング値に基づいて送信電力の低減を行うように構成されていることを要旨とする。
【発明の効果】
【００１７】
以上説明したように、本発明によれば、新たなバンドを定義することなく、ネットワークシグナリング値が定義されていない既存のバンドにおいて、マルチクラスタ通信用のネットワークシグナリング値を用いることができる移動通信方法及び無線基地局を提供することができる。
【図面の簡単な説明】
【００１８】
【図１】本発明の第１の実施形態に係る移動通信システムの全体構成図である。
【図２】本発明の第１の実施形態に係る移動通信システムにおいて行われるシングルクラスタ通信及びマルチクラスタ通信の概念を説明するための図である。
【図３】本発明の第１の実施形態に係る無線基地局の機能ブロック図である。
【図４】本発明の第１の実施形態に係る移動通信システムの動作を示すシーケンス図である。
【発明を実施するための形態】
【００１９】
（本発明の第１の実施形態に係る移動通信システム）
図１乃至図４を参照して、本発明の第１の実施形態に係る移動通信システムについて説明する。本実施形態を説明するための全図において、同一機能を有するものは同一符号を用い、繰り返しの説明は省略する。
【００２０】
本実施形態に係る移動通信システムは、ＬＴＥ-Ｒｅｌｅａｓｅ１０方式に対応しており、図１に示すように、無線基地局ｅＮＢ及び移動局ＵＥを具備している。
【００２１】
また、本実施形態に係る移動通信システムでは、図２に示すように、無線基地局ｅＮＢ及び移動局ＵＥは、１つのコンポーネントキャリア（１つのコンポーネントキャリア内の１つのサブキャリア群）を用いたシングルクラスタ通信及び１つのコンポーネントキャリア内の複数のサブキャリア群）を用いたマルチクラスタ通信を行うことができるように構成されている。
【００２２】
なお、本実施形態に係る移動通信システムでは、無線基地局ｅＮＢ及び移動局ＵＥは、複数のコンポーネントキャリアを用いたキャリアアグリゲーション（ＣＡ：Ｃａｒｒｉｅｒ  Ａｇｇｒｉｇａｔｉｏｎ）通信を行うことができるように構成されていてもよい。
【００２３】
ここで、無線基地局ｅＮＢ及び移動局ＵＥは、複数のコンポーネントキャリアの各々においてマルチクラスタ送信を行うことができるように構成されている。かかる場合には、本発明は、各コンポーネントキャリアについて適用可能となる。
【００２４】
図３に示すように、無線基地局ｅＮＢは、受信部１１と、送信部１２と、スケジューリング部１３とを具備している。
【００２５】
受信部１１は、無線基地局ｅＮＢ配下のセルに存在する移動局ＵＥから各種信号を受信するように構成されている。
【００２６】
例えば、受信部１１は、移動局ＵＥから、移動局ＵＥの「ＵＥ  Ｃａｐａｂｉｌｉｔｙ  Ｉｎｆｏｒｍａｔｉｏｎ（能力情報）」を受信するように構成されている。
【００２７】
かかる「ＵＥ  Ｃａｐａｂｉｌｉｔｙ  Ｉｎｆｏｒｍａｔｉｏｎ」には、例えば、マルチクラスタ通信やキャリアアグリゲーション通信に対応可能か否かについての情報等が含まれている。
【００２８】
送信部１２は、移動局ＵＥに対して、報知信号や個別信号を送信するように構成されている。
【００２９】
例えば、送信部１２は、無線基地局ｅＮＢ配下のセルに存在する移動局ＵＥに対して、報知信号によって、無線基地局ｅＮＢがサポートしているバンド用のネットワークシグナリング値（例えば、「ＮＳ」や「ａｄｄｉｔｉｏｎａｌＳｐｅｃｔｒｕｍＥｍｉｓｓｉｏｎ」）を通知するように構成されている。
【００３０】
また、送信部１２は、無線基地局ｅＮＢ配下のセルにおいて「Ｃｏｎｎｅｃｔｅｄ状態」にある移動局ＵＥに対して、個別信号である「ＲＲＣ  Ｒｅｃｏｎｆｉｇｕｒａｔｉｏｎ」によって、無線基地局ｅＮＢがサポートしているバンド内のマルチクラスタ通信用のネットワークシグナリング値（例えば、「ＮＳ」や「ａｄｄｉｔｉｏｎａｌＳｐｅｃｔｒｕｍＥｍｉｓｓｉｏｎ」）を通知するように構成されている。
【００３１】
例えば、送信部１２は、かかる「ＲＲＣ  Ｒｅｃｏｎｆｉｇｕｒａｔｉｏｎ」内の情報要素（例えば、「ａｄｄｉｔｉｏｎａｌＳｐｅｃｔｒｕｍＥｍｉｓｓｉｏｎＰｃｅｌｌ」や「ａｄｄｉｔｉｏｎａｌＳｐｅｃｔｒｕｍＥｍｉｓｓｉｏｎＣＡ」等と呼ばれる情報要素）を介して、かかるネットワークシグナリング値を通知するように構成されていてもよい。
【００３２】
ここで、「ａｄｄｉｔｉｏｎａｌＳｐｅｃｔｒｕｍＥｍｉｓｓｉｏｎＰｃｅｌｌ」や「ａｄｄｉｔｉｏｎａｌＳｐｅｃｔｒｕｍＥｍｉｓｓｉｏｎＣＡ」等と呼ばれる情報要素（３ＧＰＰのＴＳ３６.３３１参照）は、キャリアアグリゲーション通信用のネットワークシグナリング値を通知するために用いられる情報要素である。
【００３３】
なお、送信部１２は、かかる移動局ＵＥが所定機能（例えば、ＬＴＥ-Ｒｅｌｅａｓｅ１０方式以降に追加される機能）の使用を開始する前に、かかる「ＲＲＣ  Ｒｅｃｏｎｆｉｇｕｒａｔｉｏｎ」によって、かかるネットワークシグナリング値を通知するように構成されていてもよい。
【００３４】
例えば、送信部１２は、かかる移動局ＵＥがマルチクラスタ通信を開始する前に、かかる「ＲＲＣ  Ｒｅｃｏｎｆｉｇｕｒａｔｉｏｎ」によって、かかるネットワークシグナリング値を通知するように構成されていてもよい。
【００３５】
なお、移動局ＵＥは、「ＲＲＣ  Ｒｅｃｏｎｆｉｇｕｒａｔｉｏｎ」によってネットワークシグナリング値が通知されていない場合には、サポートしているバンド内の１つのコンポーネントキャリア内の複数のサブキャリア群を用いたマルチクラスタ通信においても、かかる１つのコンポーネントキャリア内の１つのコンポーネントキャリアを用いたシングルクラスタ通信の場合と同様に、報知信号によって通知されたネットワークシグナリング値に基づいて送信電力の低減を行うように構成されている。
【００３６】
或いは、送信部１２は、無線基地局ｅＮＢ配下のセルにおいて「Ｃｏｎｎｅｃｔｅｄ状態」にある移動局ＵＥに対して、スケジューリング部１３からの指示に応じて、スケジューリング信号を送信するように構成されている。
【００３７】
例えば、送信部１２は、無線基地局ｅＮＢ配下のセルにおいて「Ｃｏｎｎｅｃｔｅｄ状態」にある移動局ＵＥに対して、シングルクラスタ通信又はマルチクラスタ通信を行うためのスケジューリング信号を送信するように構成されている。
【００３８】
ここで、送信部１２は、無線基地局ｅＮＢ配下のセルにおいて「Ｃｏｎｎｅｃｔｅｄ状態」にある移動局ＵＥに対して、キャリアアグリゲーション通信を行うための設定を行うための「ＲＲＣ  Ｒｅｃｏｎｆｉｇｕｒａｔｉｏｎ」を送信するように構成されていてもよい。
【００３９】
スケジューリング部１３は、無線基地局ｅＮＢ配下のセルにおいて「Ｃｏｎｎｅｃｔｅｄ状態」にある移動局ＵＥに対するスケジューリング処理を行い、送信部１２に対して、かかるスケジューリング処理に基づく指示を行うように構成されている。
【００４０】
例えば、スケジューリング部１３は、受信部１１によって受信された「ＵＥ  Ｃａｐａｂｉｌｉｔｙ  Ｉｎｆｏｒｍａｔｉｏｎ」に基づいて、移動局ＵＥにマルチクラスタ通信を行わせるか否かについて決定するように構成されていてもよい。
【００４１】
以下、図４を参照して、本実施形態に係る移動通信システムの動作の一例について説明する。
【００４２】
図４に示すように、ステップＳ１００１において、移動局ＵＥは、無線基地局ｅＮＢとの間でＲＲＣコネクションを設定した後、かかる無線基地局ｅＮＢからの「ＵＥ  Ｃａｐａｂｉｌｉｔｙ  Ｅｎｑｕｉｒｙ」に応じて、かかる無線基地局ｅＮＢに対して、移動局ＵＥが対応する「ＵＥ  Ｃａｐａｂｉｌｉｔｙ  Ｉｎｆｏｒｍａｔｉｏｎ（能力情報）」を送信する。
【００４３】
無線基地局ｅＮＢは、受信した「ＵＥ  Ｃａｐａｂｉｌｉｔｙ  Ｉｎｆｏｒｍａｔｉｏｎ」に基づいて、移動局ＵＥにマルチクラスタ通信を行わせると決定すると、かかる移動局ＵＥに対して、ステップＳ１００２において、「ＲＲＣ  Ｒｅｃｏｎｆｉｇｕｒａｔｉｏｎ」によって、無線基地局ｅＮＢがサポートしているバンド内のマルチクラスタ通信用のネットワークシグナリング値を通知し、ステップＳ１００３において、かかる移動局ＵＥにマルチクラスタ通信を行わせるためのスケジューリング信号を送信する。
【００４４】
なお、無線基地局ｅＮＢは、特に必要がないと判断した場合には、ステップＳ１００２において、無線基地局ｅＮＢがサポートしているバンド内のマルチクラスタ通信用のネットワークシグナリング値を通知しなくてもよい。
【００４５】
ステップＳ１００４において、移動局ＵＥは、受信したスケジューリング信号に基づいて、無線基地局ｅＮＢがサポートしているバンド内で、マルチクラスタ通信を行う。
【００４６】
ここで、移動局ＵＥは、受信した「ＲＲＣ  Ｒｅｃｏｎｆｉｇｕｒａｔｉｏｎ」によって通知されたマルチクラスタ通信用のネットワークシグナリング値に基づいて、かかるマルチクラスタ通信における送信電力を低減する。
【００４７】
なお、移動局ＵＥは、無線基地局ｅＮＢによって送信された報知信号によって通知された無線基地局ｅＮＢがサポートしているバンド用のネットワークシグナリング値についても受信しているため、ステップＳ１００２において、上述のマルチクラスタ通信用のネットワークシグナリング値を受信しなかった場合には、報知信号によって通知されたネットワークシグナリング値に基づいて、かかるマルチクラスタ通信における送信電力を低減してもよい。
【００４８】
本発明の第１の実施形態に係る移動通信システムによれば、無線基地局ｅＮＢは、「ＲＲＣ  Ｒｅｃｏｎｆｉｇｕｒａｔｉｏｎ」によって、無線基地局ｅＮＢがサポートしているバンド内のマルチクラスタ通信用のネットワークシグナリング値を通知することができるため、新たなバンドを定義することなく、無線基地局ｅＮＢがサポートしているバンド内で、マルチクラスタ通信用のネットワークシグナリング値を利用することができる。
【００４９】
以上に述べた本実施形態の特徴は、以下のように表現されていてもよい。
【００５０】
本実施形態の第１の特徴は、移動通信方法であって、無線基地局ｅＮＢが、サポートしているバンド内の１つのコンポーネントキャリアを用いたシングルクラスタ通信を行っている移動局ＵＥに対して、「ＲＲＣ  Ｒｅｃｏｎｆｉｇｕｒａｔｉｏｎ（個別信号）」によって、ネットワークシグナリング値を通知する工程Ａと、移動局ＵＥが、かかるネットワークシグナリング値に基づいて、シングルクラスタ通信における送信電力を低減する工程Ｂとを有することを要旨とする。
【００５１】
本実施形態の第１の特徴において、工程Ａにおいて、移動局ＵＥが、１つのコンポーネントキャリア内の複数のサブキャリア群を用いたマルチクラスタ通信を開始する前に、無線基地局ｅＮＢは、移動局ＵＥに対して、上述のネットワークシグナリング値を通知してもよい。
【００５２】
本実施形態の第２の特徴は、無線基地局ｅＮＢであって、サポートしているバンド内の１つのコンポーネントキャリアを用いたシングルクラスタ通信を行っている移動局ＵＥに対して、「ＲＲＣ  Ｒｅｃｏｎｆｉｇｕｒａｔｉｏｎ」によって、ネットワークシグナリング値を通知するように構成されている送信部１２を具備することを要旨とする。
【００５３】
本実施形態の第２の特徴において、移動局ＵＥが、１つのコンポーネントキャリア内の複数のサブキャリア群を用いたマルチクラスタ通信を開始する前に、送信部１２は、移動局ＵＥに対して、かかるネットワークシグナリング値を通知するように構成されていてもよい。
【００５４】
本実施形態の第３の特徴は、移動局ＵＥであって、「ＲＲＣ  Ｒｅｃｏｎｆｉｇｕｒａｔｉｏｎ」によってネットワークシグナリング値が通知されていない場合には、サポートしているバンド内の１つのコンポーネントキャリア内の複数のサブキャリア群を用いたマルチクラスタ通信においても、かかる１つのコンポーネントキャリア内の１つのコンポーネントキャリアを用いたシングルクラスタ通信の場合と同様に、報知信号によって通知されたネットワークシグナリング値に基づいて送信電力の低減を行うように構成されていることを要旨とする。
【００５５】
なお、上述の無線基地局ｅＮＢ及び移動局ＵＥの動作は、ハードウェアによって実施されてもよいし、プロセッサによって実行されるソフトウェアモジュールによって実施されてもよいし、両者の組み合わせによって実施されてもよい。
【００５６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００５７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００５８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００５９】
ＵＥ…移動局
ｅＮＢ…無線基地局
１１…受信部
１２…送信部
１３…スケジューリング部
【図１】
2013098592.tif 000003
【図２】
2013098592.tif 000004
【図３】
2013098592.tif 000005
【図４】
2013098592.tif 000006